(57)【特許請求の範囲】
【請求項１】
上部開口を有する筒状体を形成可能な本体と、前記筒状体の上端部に配置される便座部とを備える、折り畳み式簡易トイレであって、
前記本体は、前記上部開口の軸線に対して概ね垂直な方向に伸縮可能であり、伸縮方向において互いに対向する位置に配置される第一の側面部と第二の側面部とを備えており、
前記便座部は、前記本体の第一の側面部に固定されており、前記上部開口と連通可能な開口部を有する上面部と前記上面部から延びて前記本体の第二の側面部に対向する位置に配置されるフラップとを備えており、前記便座部は、前記便座部のフラップと上面部との境界に沿ってスロットを有しており、
前記便座部のスロットに挿入可能な突条部が、前記本体の第二の側面部の上端部から延びている、折り畳み式簡易トイレ。
【請求項２】
前記本体と前記便座部とが単一の部材を形成するように前記便座部が前記本体の第一の側面部に連設されている、請求項１に記載の折り畳み式簡易トイレ。
【請求項３】
前記本体と前記便座部とが別体であり、前記便座部は、前記本体の第一の側面部に固定されるタブを備えている、請求項１に記載の折り畳み式簡易トイレ。
【請求項４】
前記突条部の先端に第一の把持部が形成されており、前記突条部は、前記本体の第二の側面部に向けて折り畳み可能であり、前記本体の第一の側面部の下端部に第二の把持部が形成されている、請求項１〜３のいずれか一項に記載の折り畳み式簡易トイレ。
【請求項５】
前記第一の把持部及び第二の把持部の各々は、環状の取っ手を形成している、請求項４に記載の折り畳み式簡易トイレ。
【請求項６】
前記本体および前記便座部が板紙で形成されている、請求項１〜５のいずれか一項に記載の折り畳み式簡易トイレ。
【請求項７】
前記本体および前記便座部が撥水性材料でコーティングされている、請求項１〜６のいずれか一項に記載の折り畳み式簡易トイレ。
【発明の詳細な説明】
【技術分野】
【０００１】
本発明は、例えば、地震等の災害時またはキャンプ場等のアウトドアの環境で好適に使用される、折り畳み式の簡易トイレに関する。
【背景技術】
【０００２】
地震等の災害時またはキャンプ場等のアウトドアの環境において使用される、組み立て式の簡易トイレが、例えば、特表２０１０−５３０７７５号に記載されている。この簡易トイレは、各側面パネルに接続される前面及び背面パネルと、前面又は背面パネルに接続された底部パネルと、前面又は背面パネルに接続された上部パネルと、を備えている。この簡易トイレでは、各側面パネルにスロットが形成されており、底部パネルに形成されるタブをスロットに差し込むことによって、簡易トイレを箱形状に維持することができる。
【先行技術文献】
【特許文献】
【０００３】
【特許文献１】特表２０１０−５３０７７５号
【発明の概要】
【発明が解決しようとする課題】
【０００４】
特表２０１０−５３０７７５号の簡易トイレは、保管または輸送用に平面形態に折り畳むことができるが、持ち運び性については不十分である。また、組み立て時には、折り畳まれた簡易トイレを手で広げ、底部パネルのタブを側面パネルのスロットに差し込む作業が必要であり、使用者にとって煩雑である。組立性及び持ち運び性に優れる簡易トイレが依然として求められている。
【課題を解決するための手段】
【０００５】
請求項１の発明によれば、上部開口を有する筒状体を形成可能な本体と、筒状体の上端部に載置される便座部とを備える、折り畳み式簡易トイレが提供される。本体は、上部開口の軸線に対して概ね垂直な方向に伸縮可能であり、伸縮方向において互いに対向する位置に配置される第一の側面部と第二の側面部とを備えている。便座部は、本体の第一の側面部に固定されており、上部開口と連通可能な開口部を有する上面部と上面部から延びて本体の第二の側面部に対向する位置に配置されるフラップとを備えている。便座部は、便座部のフラップと上面部との境界に沿ってスロットを有している。便座部のスロットに挿入可能な突条部が、本体の第二の側面部の上端部から延びている。この構成によれば、使用者は、便座部のスロットに挿入された突条部を、筒状体の上部開口の軸線に対して概ね垂直な方向に引っ張ることによって、折り畳み状態の本体を伸長させ、上端部に便座部が載置された筒状体を形成することができる。すなわち、本体の突条部を引っ張るという簡単な動作のみによって、折り畳み状態の簡易トイレを容易且つ迅速に組み立てることができる。
【０００６】
請求項２の発明によれば、請求項１に記載の折り畳み式簡易トイレであって、本体と便座部とが単一の部材を形成するように便座部が本体の第一の側面部に連設されている、折り畳み式簡易トイレを提供することができる。この構成によれば、本体と便座部とが一体化されて単一の部材を形成しているので、製造工程数及び部品点数の少ない、低コストの折り畳み式トイレを実現することができる。
【０００７】
請求項３の発明によれば、請求項１に記載の折り畳み式簡易トイレであって、本体と便座部とが別体であり、便座部は、本体の第一の側面部に固定されるタブを備えている、折り畳み式簡易トイレを提供することができる。
【０００８】
請求項４の発明によれば、請求項１〜３のいずれか一項に記載の折り畳み式簡易トイレであって、突条部の先端に第一の把持部が形成されており、突条部は、本体の第二の側面部に向けて折り畳み可能であり、本体の第一の側面部の下端部に第二の把持部が形成されている、折り畳み式簡易トイレを提供することができる。この構成によれば、折り畳み状態の突条部の先端に形成された第一の把持部と本体の第一の側面部の下端部に形成された第二の把持部とを用いて、折り畳み状態の簡易トイレを、容易に且つ安定した状態で持ち運ぶことができる。
【０００９】
請求項５の発明によれば、請求項４に記載の折り畳み式簡易トイレであって、第一の把持部及び第二の把持部の各々は、環状の取っ手を形成している、折り畳み式簡易トイレを提供することができる。この構成によれば、第一の把持部及び第二の把持部の各々が環状の取っ手を形成しているので、使用者は、環状の取っ手を容易に把持して、折り畳み状態の簡易トイレを安定して持ち運ぶことができる。
【００１０】
請求項６の発明によれば、請求項１〜５のいずれか一項に記載の折り畳み式簡易トイレであって、本体および便座部が板紙で形成されている、折り畳み式簡易トイレを提供することができる。この構成によれば、本体および便座部が板紙で形成されているので、軽量且つ高い強度を有すると共に廃棄後は環境により優しい素材で、折り畳み式簡易トイレを形成することができる。
【００１１】
請求項７の発明によれば、請求項１〜６のいずれか一項に記載の折り畳み式簡易トイレであって、本体および便座部が撥水性材料でコーティングされている、折り畳み式簡易トイレを提供することができる。この構成によれば、本体および便座部が撥水性材料でコーティングされているので、水洗い等により長期間利用可能な、折り畳み式簡易トイレを提供することができる。
【発明の効果】
【００１２】
本発明によれば、組立性及び持ち運び性に優れる、折り畳み式簡易トイレを提供することができる。
【図面の簡単な説明】
【００１３】
【図１】組み立て後における、本発明の第一実施形態に係る折り畳み式簡易トイレの斜視図である。
【図２】折り畳み式簡易トイレの展開図である。
【図３】折り畳み状態の簡易トイレの斜視図である。
【図４】（Ａ）は、折り畳み状態の簡易トイレを、本体の第一の側面部の側から見た図であり、（Ｂ）は、折り畳み状態の簡易トイレを、本体の第二の側面部の側から見た図である。
【図５】（Ａ）は、簡易トイレの組み立て途中の状態を上方から見た斜視図であり、（Ｂ）は、（Ａ）の状態を下方から見た斜視図である。
【図６】（Ａ）は、簡易トイレの組み立て途中の状態を上方から見た斜視図であり、（Ｂ）は、（Ａ）の状態を下方から見た斜視図である。
【図７】（Ａ）は、図１に示す簡易トイレの上面図であり、（Ｂ）は、図１に示す簡易トイレの底面図である。
【図８】図１に示す簡易トイレを、本体の第二の側面部の側から見た側面図である。
【図９】本発明の第二実施形態に係る折り畳み式簡易トイレの、図１に対応する図である。
【図１０】本発明の第二実施形態に係る折り畳み式簡易トイレの、図２に対応する図である。
【図１１】本発明の第二実施形態に係る折り畳み式簡易トイレの、図３に対応する図である。
【発明を実施するための形態】
【００１４】
以下、添付図面を参照して、本発明の第一実施形態に係る折り畳み式簡易トイレ（以下、簡易トイレ）１を説明する。後述するように、本発明の第一実施形態に係る簡易トイレ１は、所定の折り畳み状態（換言すれば、不使用状態）と組み立てられた状態（換言すれば、使用状態）との間で変形可能である。
【００１５】
［全体概要］
図１は、本発明の第一実施形態に係る簡易トイレ１の組み立てられた状態を示す。簡易トイレ１は、上部開口（符号省略）を有する筒状体を形成可能な本体２と、筒状体の上端部に配置される便座部３とを備える。本体２は、上部開口の軸線に対して概ね垂直な方向（図１における矢印方向）に伸縮可能であり、伸縮方向において互いに対向する位置に配置される第一の側面部４と第二の側面部５とを備えている。本体２は、また、第一の側面部４と第二の側面部５の間に配置される、折り線８に沿って谷折りされて折り畳み可能な第三の側面部６と第四の側面部７を備えている。便座部３は、本体２の第一の側面部４に固定されており、本体２の上部開口と連通可能な開口部１５を有する上面部１６と上面部１６から延びて本体２の第二の側面部５に対向する位置に配置されるフラップ１８とを備えている。第一の側面部４と上面部１６との間には、折り畳まれた際の本体２の厚みを収容する中間面部２０が形成されており、第一の側面部４、中間面部２０、上面部１６及びフラップ１８は、折り線１０３を介して連設されている（換言すれば、折り線１０３を介して互いに連なるように形成されている）。従って、第一実施形態では、本体２と便座部３とが単一の部材を形成している。便座部３のフラップ１８は、本体２の第二の側面部５に固定されることなく、第二の側面部５に沿って下方に折り曲げられている。フラップ１８は、フラップ１８と上面部１６との境界に沿ってスロット１９を有している。これに代えて、スロット１９は、フラップ１８と上面部１６との境界に沿って上面部１６に形成されていてもよい。スロット１９には、本体２の第二の側面部５の上端部から延びる突条部１０が挿通されている。突条部１０は、第二の側面部５の上端部で下方に折り曲げられて、第二の側面部５の下端部に形成された、切欠き１４に差し込まれている。本体２および便座部３は、例えば、板紙で形成することができる。
【００１６】
［本体２について］
図２に、簡易トイレ１の展開図を示す。図２に示されるように、本体２は、横方向に並列して形成される第一の側面部４、第二の側面部５、第三の側面部６、第四の側面部７を備えており、折り線８を有する第三の側面部６および第四の側面部７と、折り線８を有しない第一の側面部４および第二の側面部５とが交互に配置されている。第一の側面部４と第三の側面部６、第三の側面部６と第二の側面部５、第二の側面部５と第四の側面部７は、それぞれ、折り線１０２を介して連設されている。折り線８は、第三の側面部６と第四の側面部７の各々の幅方向における概ね中央部に、上下方向に延びている。第一の側面部４の開放された側端部には、第四の側面部７に接続されるタブ９が形成されている。タブ９を第四の側面部７の対応する側端部に固定することによって、本体２を筒状体に形成することができる。タブ９もまた、折り線１０２に沿って折り曲げ可能である。
【００１７】
第二の側面部５の上端部の幅方向中央部には、第二の側面部５の幅方向に対して概ね垂直に且つ第二の側面部５から離れる方向に延びる突条部１０が形成されている。突条部１０の先端部には、環状の取っ手を形成する第一の把持部１１が設けられている。また、第一の側面部４の下端部の幅方向中央部には、第一の把持部１１と概ね同一の寸法及び形状を有する第二の把持部１２が形成されている。第二の側面部５と突条部１０との間の境界、突条部１０と第一の把持部１１との間の境界、及び、第一の側面部４と第二の把持部１２との間の境界には、それぞれ、折り線１３が形成されている。また、第二の側面部５の下端部の幅方向中央部には、組み立て後の第一の把持部１１を通すための切欠き１４が形成されている。しかし、切欠き１４は、必ずしも形成しなくてよい。
【００１８】
［便座部３について］
便座部３は、本体２の第一の側面部４に固定されており、組み立て後の筒状体の上部開口と連通可能な開口部１５を有する上面部１６と上面部１６に折り線１０３を介して連設され、組み立て後は、本体２の第二の側面部５に対向する位置に配置される、フラップ１８とを備えている。フラップ１８は、フラップ１８と上面部１６との間の境界に沿って延びるスロット１９を備えている。スロット１９に、本体２の突条部１０を挿通することができる。第一実施形態では、本体２と便座部３とが単一の部材を形成するように、上面部１６と本体２の第一の側面部４とが、上述した中間面部２０を介して一体的に連設されている。しかし、本体２の厚みによっては、中間面部２０は無くてもよい。
【００１９】
本実施形態では、簡易トイレ１を構成する本体２および便座部３は、いずれも、板紙で形成されている。板紙は、軽量且つ高い強度を実現し、さらに、例えばプラスチック材料と比較して、野外に放置しても自然に土に戻ることができ、環境により優しい素材である。しかし、本実施形態に係る簡易トイレ１は、プラスチック材料で形成してもよい。この場合は、生分解性プラスチックで形成することが好ましい。また、簡易トイレ１は、ダンボールで形成することもできる。
【００２０】
また、本体２および便座部３は、撥水性材料でコーティングされていてもよい。本体２および便座部３の表面に撥水性を付与することにより、水洗い等によって長期間利用可能な簡易トイレ１を提供することができる。
【００２１】
尚、折り線８、１３、１０２及び１０３は、本体２および便座部３の素材である板紙等に形成される刻み線またはミシン目等により形成することができる。従って、第一実施形態では、本体２及び便座部３の各部は、折り線８、１３、１０２及び１０３を介して連設されることにより互いに一体化されて、単一の部材を形成している。しかし、折り線８、１３、１０２及び１０３に代えて、互いに分離した別個の部材同士を接続する接続部が形成されていてもよい。
【００２２】
［簡易トイレ１の折り畳み状態について］
本発明の第一実施形態に係る簡易トイレ１は、所定の折り畳み状態で使用者に提供されることができ、使用者は、所定の折り畳み状態と組み立てられた状態との間で簡易トイレ１を変形させることができる。図３は、簡易トイレ１の折り畳み状態を示す斜視図である。図４（Ａ）は、折り畳み状態の簡易トイレ１を、本体２の第一の側面部４の側から見た図であり、図４（Ｂ）は、折り畳み状態の簡易トイレ１を、本体２の第二の側面部５の側から見た図である。
【００２３】
図３及び図４（Ａ）、（Ｂ）に示す折り畳み状態では、組み立て後に筒状体を形成できるように、本体２のタブ９（図示省略）が接着剤等により第四の側面部７に固定されており、本体２は、第三の側面部６および第四の側面部７を折り線８に沿って谷折りすることによって、図１に示す伸縮方向に沿って折り畳まれている。また、本体２の第一の側面部４から連続的に延びる中間面部２０、上面部１６及びフラップ１８は、折り線１０３で折り曲げられており、これにより中間面部２０で本体２の厚みを収容し、上面部１６と、上面部１６に向けて内側に折り込まれたフラップ１８とが本体２の第二の側面部５に重ねられている。本体２の突条部１０は、折り線１３（図示せず）で谷折りされており、上面部１６及びフラップ１８と共に、本体２の第二の側面部５に重ねられている。突条部１０は、また、便座部３のスロット１９に挿通されており、突条部１０の先端に形成された第一の把持部１１が、本体２の第一の側面部４の下端部（図３及び図４（Ａ）、（Ｂ）では上端部）に形成された第二の把持部１２に対向するように、スロット１９から突出している。
【００２４】
図３及び図４（Ａ）、（Ｂ）に示すように、本実施形態の簡易トイレ１は平坦な形状に折り畳むことができ、簡易トイレ１の保管及び輸送のために必要とされるスペースを著しく節約することができる。
【００２５】
また、折り畳み状態では、第一の把持部１１と第二の把持部１２が互いに対向するように配置されている。従って、使用者は、第一の把持部１１と第二の把持部１２を把持することにより、折り畳み状態の簡易トイレ１を容易に且つ安定した状態で持ち運ぶことができる。また、本実施形態では、第一の把持部１１と第二の把持部１２が環状の取っ手を形成しているので、使用者は、環状の取っ手を容易に把持して、折り畳み状態の簡易トイレ１を安定して持ち運ぶことができる。しかし、第一の把持部１１と第二の把持部１２は、必ずしも環状の取っ手を形成していなくてもよく、使用者が把持することのできる任意の形状を有することができる。
【００２６】
［簡易トイレ１の組み立て方法について］
以下、図５及び図６に参照して、図３に示す折り畳み状態から図１に示す使用状態への簡易トイレ１の組み立て方法の例を説明する。まず、図３に示す本体２の上端部を下にして、第二の把持部１２を本体２の内側に折り線１３に沿って折り込むようにして、簡易トイレ１を載置面（例えば地面、床面等、簡易トイレ１が載置される面）に配置する。そして、突条部１０または第一の把持部１１を把持し、本体２の高さ方向に対して概ね垂直な位置まで突条部１０を持ち上げる。このときの状態を図５（Ａ）に示す。これにより、便座部３の上面部１６及びフラップ１８が、本体２の第二の側面部５から離れて持ち上げられる。図５（Ｂ）は、図５（Ａ）に示す簡易トイレ１を、下方から見た図である。
【００２７】
持ち上げられた突条部１０をスロット１９から引き出すように概ね水平方向に引っ張ることにより、本体２の第二の側面部５が、便座部３の上面部１６に沿ってスライドしながら水平方向に引っ張られる。このときの状態を図６（Ａ）に示す。図６（Ａ）に示すように、折り線８に沿って折り畳まれていた本体２の第三の側面部６及び第四の側面部７は、図１に示す伸縮方向に伸長し、これにより、上部開口を有する筒状体が形成される。図６（Ｂ）は、図６（Ａ）に示す簡易トイレ１を、下方から見た図である。
【００２８】
本体２の第二の側面部５が便座部３のフラップ１８に当接するまで突条部１０を引っ張る。第二の側面部５がフラップ１８に当接したところで、突条部１０を、折り線１３に沿って谷折りすることにより下方に折り曲げ、さらに、第一の把持部１１を折り線１３に沿って折り曲げて、切欠き１４と載置面（図示省略）との間に差し込む。これにより、筒状体の上端部に便座部３が載置された、図１に示す使用状態の簡易トイレ１を組み立てることができる。使用時は、排泄物回収用のビニール袋等が、開口部１５を通して本体２内に挿入される。図７（Ａ）、（Ｂ）は、それぞれ、図１に示す簡易トイレ１の上面図、底面図である。図８は、図１に示す簡易トイレ１を、本体の第二の側面部５の側から見た側面図である。図１及び図７（Ａ）、（Ｂ）に示されるように、簡易トイレ１が組み立てられた状態において、第三の側面部６及び第四の側面部７の各々は、幅方向中央の折り線８に向けて本体２の内側に傾斜している。これにより、本体２は、上下方向の荷重に対して十分な強度を有する。また、開口部１５は、概ね矩形の上面部１６の対角線上に長軸を有する、略楕円形状を有しているので、上面部１６に十分な強度を確保することができる。従って、使用時に変形したり潰れたりするおそれのない簡易トイレ１を提供することができる。また、開口部１５の略楕円形状によって、簡易トイレ１は、女性だけでなく男性にも使用可能である。尚、本実施形態では、開口部１５の向きは、使用者の座り心地を考慮して、使用者の体重を支える部位（臀部、大腿部等）が中間面部２０に触れにくいように設定されているが、図示の例には限られない。
【００２９】
このように、本発明の一実施形態によれば、便座部３のスロット１９に挿入された突条部１０を、筒状体の上部開口の軸線に対して概ね垂直な方向に引っ張ることによって、折り畳み状態の本体２を伸長させ、上端部に便座部３が載置された筒状体を形成することができる。すなわち、本体２の突条部１０を引っ張るという単一の動作により、簡易トイレ１を容易且つ迅速に組み立てることができる。
【００３０】
また、本体２の第二の側面部５の上端部から延びる突条部１０は、本体２の第二の側面部５に向けて折り畳み可能であり、また、本体２の第一の側面部４の下端部に第二の把持部１２が形成されているので、使用者は、突条部１０に形成された第一の把持部１１と第一の側面部４に形成された第二の把持部１２を用いて、折り畳み状態の簡易トイレ１を、容易に且つ安定した状態で持ち運ぶことができる。
【００３１】
また、第一、第二の把持部１１、１２を環状の取っ手として形成することにより、使用者は環状の取っ手を容易に把持して、より安定した状態で簡易トイレ１を持ち運ぶことができる。
【００３２】
また、簡易トイレ１を構成する本体２および便座部３を板紙で形成することにより、軽量且つ高い強度を有し、環境により優しい素材で簡易トイレ１を形成することができる。
【００３３】
また、本体２および便座部３を撥水性材料でコーティングすることにより、水洗い等によって再利用可能な簡易トイレ１を提供することができる。
【００３４】
また、本体２と便座部３とが一体化されて単一の部材を形成しているので、製造工程数及び部品点数の少ない、低コストの折り畳み式簡易トイレを実現することができる。
【００３５】
しかし、簡易トイレ１を構成する本体２と便座部３は、互いに別個の部材として形成されてもよい。この場合の実施形態（第二実施形態）を、図９乃至図１１に参照して説明する。尚、第一実施形態についての説明と重複する部分については説明を省略する。図９は、第二実施形態に係る折り畳み式簡易トイレ１の、図１に対応する図であり、簡易トイレ１の組み立てられた状態を示す。図１０は、第二実施形態に係る簡易トイレ１の、図２に対応する図であり、簡易トイレ１を構成する本体２及び便座部３の各々の展開図である。図１１は、第二実施形態に係る簡易トイレ１の、図３に対応する図であり、折り畳み状態の簡易トイレ１の斜視図である。図１０に特に明確に示されるように、第二実施形態は、本体２と便座部３とが互いに別個の部材として形成されており、便座部３が、本体２の第一の側面部４に固定されるタブ（換言すれば、固定片）１７を備えている点で第一実施形態とは異なっている。従って、中間面部２０は、タブ１７と上面部１６との間に形成されており、タブ１７、中間面部２０、上面部１６及びフラップ１８が、折り線１０３を介して連設されている。図９及び図１１に示されるように、組み立て状態及び折り畳み状態において便座部３のタブ１７は、本体２の第一の側面部４に固定されている。便座部３のフラップ１８は、第一実施形態のフラップ１８と同様に、本体２の第二の側面部５に固定されることなく、第二の側面部５に沿って下方に折り曲げられている。便座部３は、フラップ１８と上面部１６との境界に沿ってスロット１９を有しており、本体２の突条部１０をスロット１９に挿入することができる。
【００３６】
第二実施形態の簡易トイレ１は、第一実施形態に関して説明した方法と同様の方法で、図１１に示す折り畳み状態から図９に示す使用状態へ組み立てることができる。
【産業上の利用可能性】
【００３７】
本発明は、例えば、地震等の災害時またはキャンプ場等のアウトドアの環境で使用される折り畳み式簡易トイレに適用される。
【符号の説明】
【００３８】
１  簡易トイレ
２  本体
３  便座部
４  第一の側面部
５  第二の側面部
６  第三の側面部
７  第四の側面部
８  折り線
９  タブ
１０  突条部
１１  第一の把持部
１２  第二の把持部
１３  折り線
１４  切欠き
１５  開口部
１６  上面部
１７  タブ（固定片）
１８  フラップ
１９  スロット
２０  中間面部
１０２、１０３  折り線
【要約】
【課題】組立性及び持ち運び性に優れる簡易トイレを提供する。
【解決手段】上部開口を有する筒状体を形成可能な本体と、筒状体の上端部に配置される便座部とを備える、折り畳み式簡易トイレが提供される。本体は、上部開口の軸線に対して概ね垂直な方向に伸縮可能であり、伸縮方向において互いに対向する位置に配置される第一の側面部と第二の側面部とを備えている。便座部は、本体の第一の側面部に固定されており、上部開口と連通可能な開口部を有する上面部と上面部から延びて本体の第二の側面部に対向する位置に配置されるフラップとを備えており、便座部は、便座部のフラップと上面部との境界に沿ってスロットを有している。便座部のスロットに挿入可能な突条部が、本体の第二の側面部の上端部から延びている。
【選択図】図１【図１】
0005553133.tif 000002
【図２】
0005553133.tif 000003
【図３】
0005553133.tif 000004
【図４】
0005553133.tif 000005
【図５】
0005553133.tif 000006
【図６】
0005553133.tif 000007
【図７】
0005553133.tif 000008
【図８】
0005553133.tif 000009
【図９】
0005553133.tif 000010
【図１０】
0005553133.tif 000011
【図１１】
0005553133.tif 000012